【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
記録ヘッドに液体を供給する液体供給装置であって、
液体収納容器を保持するホルダーと、
前記ホルダーに設けられた記録ヘッドと、
前記記録ヘッドと連通し前記ホルダーから突設した液体供給管を有し、
前記液体供給管は前記液体収納容器の液体供給口に挿脱可能であり、かつ
前記液体収納容器に収納された液体を前記記録ヘッドに連通する液体導入口と、
前記液体供給管に対して回動するシール部材と、該シール部材を保持する保持部材と、
前記ホルダーから突設し、前記保持部材と係合し、前記保持部材を前記液体供給管に対して回転させるガイド部を備え、
前記シール部材は、前記液体収納容器の挿脱にともなって前記保持部材が前記液体供給管に対して回転し、前記液体導入口を密閉する位置から開放する位置へと移動することを特徴とした液体供給装置。
【請求項２】
前記ガイド部は、前記保持部材の突出部と係合する溝を備えたことを特徴とする請求項１に記載の液体供給装置。
【請求項３】
前記保持部材は、前記液体収納容器に設けられた可動部と係合する係合部を備えたことを特徴とする請求項１に記載の液体供給装置。
【請求項４】
前記ガイド部は、前記保持部材を前記液体収納容器の前記ホルダーへの挿入方向に抗する方向に付勢する弾性部材を有することを特徴とする請求項１に記載の液体供給装置。
【請求項５】
前記ホルダーは、前記液体収納容器に設けられた可動部を係止する係止部を備え、該係止部にて前記液体収納容器を前記ホルダーに固定する構造であることを特徴とする請求項１に記載の液体供給装置。
【請求項６】
前記係止部は、前記液体収納容器の対向する２側面をそれぞれ前記ホルダーに固定する構造であることを特徴とする請求項５に記載の液体供給装置。
【請求項７】
記録ヘッドへ液体を供給する液体供給口を備えた液体収納容器であって、
前記液体供給口周縁に設けられ、前記液体収納容器に嵌合保持される環状部と、該環状部から突設した２つの腕部からなる可動部材を有し、
前記可動部材は、液体収納容器の前記記録ヘッドへの着脱に伴って、前記液体供給口を中心として回動可能であることを特徴する液体収納容器。
【請求項８】
前記記録ヘッドは前記液体収納容器を保持するホルダーに設けられ、
前記ホルダーは、前記液体収納容器の対向する２側面をそれぞれ固定する複数の係止部を備え、
前記可動部の１つの腕部の端から他の腕部の端までの長さが、前記ホルダーの複数の係止部間の長さよりも長いことを特徴とする請求項７に記載された液体収納容器。
【請求項９】
前記可動部材は、前記環状部内に液体供給口をシールする供給口シール部を備えたことを特徴とする請求項７に記載された液体収納容器。
【請求項１０】
前記可動部の２つの腕部の長さが異なっていることを特徴とした請求項７に記載された液体収納容器。
【請求項１１】
前記可動部の腕部と一端が当接し、他端が前記液体収納容器を保持するホルダーと係止し、前記可動部材を液体供給口を中心として回動可能にするレバーを備えたことを特徴とする請求項１０に記載された液体収納容器。
【請求項１２】
前記可動部を保護する保護部材を備えたことを特徴とする請求項７ないし１１のいずれかに記載の液体収納容器。
【請求項１３】
前記環状部から突設した２つの腕部は、該環状部の中心を通過する同一直線に沿って異なる方向に向かっていることを特徴とした請求項７ないし１１のいずれかに記載の液体収納容器。
【請求項１４】
前記環状部から突設した２つの腕部は、該環状部の相対向する位置から接線方向に沿って異なる方向に向かっていることを特徴とした請求項７ないし１１のいずれかに記載の液体収納容器。
【請求項１５】
前記可動部の２つの腕部のうち一方の腕部が湾曲あるいは、非直線形状であることを特徴とした請求項１０に記載された液体収納容器。
【請求項１６】
前記液体収納容器にはインクが収納されていることを特徴とする請求項７ないし１５に記載された液体収納容器。
【手続補正２】
【補正対象書類名】明細書
【補正対象項目名】００２１
【補正方法】変更
【補正の内容】
【００２１】
すなわち、本発明の第１の形態は、記録ヘッドに液体を供給する液体供給装置であって、液体収納容器を保持するホルダーと、前記ホルダーに設けられた記録ヘッドと、前記記録ヘッドと連通し前記ホルダーから突設した液体供給管を有し、前記液体供給管は前記液体収納容器の液体供給口に挿脱可能であり、かつ前記液体収納容器に収納された液体を前記記録ヘッドに連通する液体導入口と、前記液体供給管に対して回動するシール部材と、該シール部材を保持する保持部材と、前記ホルダーから突設し、前記保持部材と係合し、前記保持部材を前記液体供給管に対して回転させるガイド部を備え、前記シール部材は、前記液体収納容器の挿脱にともなって前記保持部材が前記液体供給管に対して回転し、前記液体導入口を密閉する位置から開放する位置へと移動することを特徴とする。
【手続補正３】
【補正対象書類名】明細書
【補正対象項目名】００２２
【補正方法】変更
【補正の内容】
【００２２】
本発明の第２の形態は、記録ヘッドへ液体を供給する液体供給口を備えた液体収納容器であって、前記液体供給口周縁に設けられ、前記液体収納容器に嵌合保持される環状部と、該環状部から突設した２つの腕部からなる可動部材を有し、前記可動部材は、液体収納容器の前記記録ヘッドへの着脱に伴って、前記液体供給口を中心として回動可能であることを特徴する。
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００３０
【補正方法】変更
【補正の内容】
【００３０】
収納容器本体１ａは、図２に示すように直方体形状をなしており、その底面には、液体供給管１３を挿入し得る約２ｍｍないし３ｍｍの直径を有する供給口（液体供給口）２が形成されている。この供給口２は、弾性部材からなる隔壁（不図示）によって閉塞されており、隔壁にはスリットが形成されている。この実施形態では、隔壁のスリットにボール等の密閉部材が弾性的に押し付けられ、液密状態を保ち得る構成を有している。但し、液体供給管１３を挿入させることができるものであれば、単に弾性体からなる隔壁にスリットを設け、弾性体の弾性力によって密閉状態を保つ構造としても良い。また、供給口２の周縁には、外方に突出する円環状の環状突起（不図示）が形成されている。なお、前記収納容器本体１ａは記録ヘッド１２の液体を保持するために、適度な負圧が加えられている。
【手続補正７】
【補正対象書類名】明細書
【補正対象項目名】００３２
【補正方法】変更
【補正の内容】
【００３２】
一方、本実施形態における記録ヘッド１２は、液体を吐出する複数のノズル内に電気熱変換素子（ヒータ）あるいは電気機械変換素子（ピエゾ）などのエネルギー発生素子を駆動することによって内部に形成された液室から各ノズル内に供給される液体を各ノズルから吐出させるインクジェット記録ヘッドとなっている。この記録ヘッド１２の上面には、液体を供給するための中空の液体供給管１３が前記上面と直交する方向に立設されている。この液体供給管１３の下端は、記録ヘッド１２内の液室に連通している。また、記録ヘッドの上面には、前記液体収納容器１を保持するホルダー１１が固定されており、このホルダー１１の底部に形成された貫通口に液体供給管１３が挿通され、上方へと突出している。
【手続補正８】
【補正対象書類名】明細書
【補正対象項目名】００３３
【補正方法】変更
【補正の内容】
【００３３】
また、液体供給管１３には、記録ヘッド１２からの液体の漏出を防止するために、シール部材１４が挿通されている。このシール部材１４は、液体供給管１３に沿ってその軸線方向および回動方向へと移動可能に挿通されたシール部材（弾性部材１４ａ）と、このシール部材の周囲を保持する保持部材１４ｂとにより構成されている。保持部材１４ｂ上面部には、回動部材４の係合凹部５に係合可能な一対の係合突起（係合部）１５が形成され、さらに、保持部材１４ｂの周縁部には、相対向する位置に一対の突出部１４ｂ１が設けられている。この一対の突出部１４ｂ１は、前記ホルダー１１の上面部に突設されたシール保持部材１７の上下方向に延出する屈曲した一対の溝１７ａに移動可能に挿通されている。また、シール部材１４の保持部材１４ｂとホルダー１１との間には、コイルバネ１６が弾装されており、このコイルバネ１６の付勢力によってシール部材１４を常時上方へと付勢している。このため、液体収納容器が非装着状態にある場合、すなわち、シール部材１４に上方からの押圧力が加えられていない状態では、前記突出部１４ｂ１が溝１７ａの上端との当接位置に保持され、この状態で、弾性体１４ａの内周面が前記液体導入口１３ａを密閉し、液体導入口１３ａからの液体の漏出を防止し得るようになっている。
【手続補正９】
【補正対象書類名】明細書
【補正対象項目名】００４８
【補正方法】変更
【補正の内容】
【００４８】
また、図５（ｃ）および図６（ｃ−１）、（ｃ−２）は、液体収納容器１の装着が完了した状態、すなわち、液体収納容器１と液体供給管１３とが接続され、かつホルダー１１に固定された状態を示している。液体供給管１３への接続が完了した位置で、前記回動部材４は収納容器１ａの固定部材として機能する。回動部材４の両端部４ｂ１，４ｃ１は、図外の巻きばねのの付勢力によって、ガイド溝１８，１９の下端部１８ａ，１９ａに沿って回転し、初期位置へと復帰する（図６（ｃ−２）参照）。これにより、回動部材４とガイド溝１８，１９の下端部とが係合し、確固に固定される。このとき、回動部材４の長尺な腕部４の一端部４ｃ１は、開口部１９ａから突出し、その開口端に係止された状態となる。
【手続補正１０】
【補正対象書類名】図面
【補正対象項目名】図１
【補正方法】変更
【補正の内容】
【図１】
2005343147.tif 000001
【手続補正１１】
【補正対象書類名】図面
【補正対象項目名】図３
【補正方法】変更
【補正の内容】
【図３】
2005343147.tif 000002